(57)【要約】【課題】半導体発光バルブのバルブ本体の回転角度の調整をリフレクタから口金を取外すことなく容易にできる半導体発光バルブ及び照明装置を提供する。【解決手段】ＬＥＤバルブ１’、放物面体のリフレクタ２及びレンズ３が設けられている。ＬＥＤバルブ１’の口金１１がリフレクタ２のソケット２ａ及びストッパ付カバー２ｂ内に嵌め込められて固定される。ＬＥＤバルブ１’は、口金１１及び口金１１に所定回転角度で固定されるバルブ本体１２を有する。バルブ本体１２は、ＬＥＤ素子取付部１２１、口金取付部１２２、ベース１２３、円筒型圧縮コイルばね１２４及びストッパリング１２５によって構成される。円筒型圧縮コイルばね１２４はストッパリング１２５の後方側の当接面と口金１１の前方側の当接面との間に圧縮状態で嵌め込まれる。【選択図】図１
2019192389.tif 000002
【特許請求の範囲】
【請求項１】
口金と、前記口金に所定角度で固定されるバルブ本体とを具備する半導体発光バルブにおいて、
前記バルブ本体は、
半導体発光素子と、
前記半導体発光素子を取付けた半導体発光素子取付部と、
前記半導体発光素子取付部の後方に設けられ、前記口金を取付けた口金取付部と、
前記口金取付部の後方に設けられ前記口金を当接するための当接面を有するベースと、
前記口金取付部の前記口金の前方に固定されたストッパリングと、
前記口金取付部に取付けられた前記口金と前記ストッパリングとの間に圧縮状態で嵌め込まれたばねと
を具備し、
前記ばねは前記ストッパリングと前記口金とに圧接していることを特徴とする半導体発光バルブ。
【請求項２】
前記口金の後端及び前記口金取付部の後端に回転停止手段を設け、
前記回転停止手段は、
前記口金の後端内周及び前記口金取付部の後端外周の一方に設けられた複数の凹部と、
前記口金の後端内周及び前記口金取付部の後端外周の他方に設けられた少なくとも１つの凸部と
を有し、前記凹部と前記凸部とは噛み合うようになっている請求項１に記載の半導体発光バルブ。
【請求項３】
口金と、前記口金に所定角度で固定されるバルブ本体とを具備する半導体発光バルブにおいて、
前記バルブ本体は、
半導体発光素子と、
前記半導体発光素子を取付けた半導体発光素子取付部と、
前記半導体発光素子取付部の後方に設けられ、前記口金を取付けた口金取付部と、
前記口金取付部の後方に設けられたベースと、
前記口金取付部の前記口金前方に固定されたストッパリングと、
前記口金取付部に取付けられた口金と前記ストッパリングとの間に圧縮状態で嵌め込まれたばねと、
を具備し、
前記ベースの前方側には、半導体発光素子距離調整固定リングが固定され、
前記口金と前記半導体発光素子距離調整固定リングとの間には、半導体発光素子距離調整移動リングが圧接され、
前記半導体発光素子距離調整固定リングと前記半導体発光素子距離調整移動リングの各対向面は、円周方向に高さが階段状に変化する段差を備え、
前記半導体発光素子距離調整移動リングは、前記ばねの圧縮により前記半導体発光素子距離調整固定リングとの接触が解除された場合において、前記バルブ本体の回りを回動可能であることを特徴とする半導体発光バルブ。
【請求項４】
口金と、前記口金に所定角度で固定されるバルブ本体とを具備する半導体発光バルブにおいて、
前記バルブ本体は、
半導体発光素子と、
前記半導体発光素子を取付けた半導体発光素子取付部と、
前記半導体発光素子取付部の後方に設けられ、前記口金を取付けた口金取付部と、
前記口金取付部の後方に設けられ、前記口金取付部の外周より大きい前記口金を当接するための当接面を有するベースと、
前記口金取付部の前記口金の前方に固定されたストッパリングと、
前記ストッパリングの後方当接面に圧接された前記口金と前記ベースの当接面との間に圧縮状態で嵌め込まれたばねと
を具備することを特徴とする半導体発光バルブ。
【請求項５】
リフレクタと、前記リフレクタからの反射光を出射するためのレンズとを具備する照明装置において、
請求項１〜４のいずれかに記載の半導体発光バルブを具備し、
前記半導体発光バルブは、前記リフレクタに形成されたソケットに固定されることを特徴とする照明装置。
【発明の詳細な説明】
【技術分野】
【０００１】
本発明は発光ダイオード（LED）素子、レーザダイオード（LD）素子等の半導体発光素子よりなる半導体発光バルブ及びこれを用いた照明装置、特に、その配光特性の調整に関する。
【背景技術】
【０００２】
自動車、二輪車等の車両の前照灯、フォグランプ等においては、従来、ハロゲンバルブ及びＨＩＤ（Ｈｉｇｈ  Ｉｎｔｅｎｓｉｔｙ  Ｄｉｓｃｈａｒｇｅ）バルブが多く用いられている。ところで、近年、省エネルギー、長寿命の発光ダイオード（ＬＥＤ）素子を用いたＬＥＤバルブが注目されている。この場合、ハロゲンバルブとの互換性を確保したＬＥＤバルブが開発されている。
【０００３】
図１３は従来のリフレクタ型照明装置を示し、（Ａ）は全体断面図、（Ｂ）は（Ａ）のＬＥＤバルブの斜視図である。尚、図１３のリフレクタ型照明装置はたとえば車両用前照灯装置である。
【０００４】
図１３の（Ａ）においては、ＬＥＤバルブ１、ＬＥＤバルブ１が装着される放物面体のリフレクタ２及びレンズ３が設けられている。これにより、ＬＥＤバルブ１からの出射光はリフレクタ２によって反射されてレンズ３から出射される。この場合、リフレクタ２のソケット２ａにはストッパ付カバー２ｂが設けられており、ＬＥＤバルブ１の口金１１がリフレクタ２のソケット２ａ及びストッパ付カバー２ｂ内に嵌め込められて固定され、この結果、ＬＥＤバルブ１がリフレクタ２に固定される。
【０００５】
図１３の（Ａ）、（Ｂ）に示すごとく、ＬＥＤバルブ１は、口金１１に加えて、口金１１に所定回転角度で固定されるバルブ本体１２を有する。
【０００６】
口金１１は、防水パッキン１１１、１２０°間隔で設けられた係止突片１１２、及びバルブ本体１２を口金１１に固定するための止めねじ１１３を有する。
【０００７】
他方、バルブ本体１２は、先端に遮光部１２１ａを有しＬＥＤ素子１２１ｂを取付けるためのＬＥＤ素子取付部１２１と、ＬＥＤ素子取付部１２１の後方に設けられ、口金１１を取付けるための円筒状の口金取付部１２２と、口金取付部１２２の後方に設けられ、ヒートシンクとして作用するフィン１２３−１、１２３−２、１２３−３を有するベース１２３とによって構成されている。この場合、ベース１２３の口金取付部１２２側の外径は口金取付部１２２の外径より大きく、ベース１２３の口金取付部１２２側の外周側面は口金１１に対する当接面１２３ａとして作用する。
【０００８】
図１４は図１３のリフレクタ型照明装置においてＬＥＤバルブ１の装着を説明するための図である。
【０００９】
図１４の（Ａ）において、口金１１にバルブ本体１２（１２１、１２２、１２３）が所定回転角度で固定されているＬＥＤバルブ１をリフレクタ２のソケット２ａに装着する場合、図１４の（Ａ）のＸ方向に、バルブ本体１２のＬＥＤ素子取付部１２１及び口金１１の部分をソケット２ａに設けられたストッパ付カバー２ｂの開口に挿入する。このとき、図１４の（Ｂ）に示すごとく、口金１１の係止突片１１２がストッパ付カバー２ｂ内に挿入される。この状態でＬＥＤバルブ１を図１４の（Ａ）のＹ方向に回転させると、図１４の（Ｃ）に示すごとく、口金１１の係止突片１１２がストッパ付カバー２ｂのストッパ（図示せず）によって停止される。この結果、ＬＥＤバルブ１のバルブ本体１２はリフレクタ２に対して所定回転角度で固定され、所定配光を実現できる。
【００１０】
ＬＥＤバルブ１は、点灯源として作用するハロゲンバルブと異なり、高い指向性を有する。従って、ＬＥＤバルブ１をたとえば車両用前照灯装置に装着した後に配光の変更のために、ＬＥＤバルブ１のバルブ本体１２の口金１１に対する回転角度を調整する必要がある。
【００１１】
図１３のＬＥＤバルブ１における口金１１に対するバルブ本体１２の回転角度の調整方法を図１５を参照して説明する。
【００１２】
始めに、マーキング工程にて、ＬＥＤバルブ１の口金１１の係止突片１１２をリフレクタ２のソケット２ａ及びストッパ付カバー２ｂの内部に固定した状態でＬＥＤバルブ１の調整回転角度の位置をマーキングする。たとえば、バルブ本体１２の見える場所であるベース１２３にマーキングする。
【００１３】
次に、図１５の（Ａ）に示すＬＥＤバルブ取外工程にて、リフレクタ２に対してＬＥＤバルブ１を回転させて口金１１の係止突片１１２をリフレクタ２のソケット２ａ及びストッパ付カバー２によって規定される内部から取外す。
【００１４】
次に、図１５の（Ｂ）に示す止めねじ緩め工程にて、口金１１の止めねじ１１３を緩める。尚、止めねじ１１３はバルブ本体１２の口金取付部１２２のねじ孔１２２ａ（図１５の（Ｄ）参照）に係止されている。これにより、バルブ本体１２は口金１１に対して回転可能となる。
【００１５】
次に、図１５の（Ｃ）に示すバルブ本体回転工程にて、口金１１に対してバルブ本体１２を相対的に回転させてたとえばマーキング位置を口金１１の係止突片１１２の１つに合わせる。
【００１６】
次に、図１５の（Ｄ）に示す止めねじ締め工程にて、口金１１の止めねじ１１３を締めて口金１１に対するバルブ本体１２の回転位置を再固定する。
【００１７】
最後に、ＬＥＤバルブ再装着工程にて、口金１１の係止突片１１２をリフレクタ２のソケット２ａ及びストッパ付カバー２ｂ内に固定して装着する。これにより、ＬＥＤバルブ１のバルブ本体１２はリフレクタ２に対して所定回転角度で再装着され、配光の調整が完了する。
【００１８】
尚、ＬＥＤバルブを取外さずに止めねじの調整のみでＬＥＤバルブの回転位置を調整する車両用照明装置がある（参照：特許文献１）。しかしながら、この場合、止めねじはＬＥＤバルブの後方に設けられているので、止めねじの緩め締め工具スペースがない車両においては回転角度の調整が実質的に不可能である。
【先行技術文献】
【特許文献】
【００１９】
【特許文献１】特開２０１６−１９２３５０号公報
【発明の概要】
【発明が解決しようとする課題】
【００２０】
しかしながら、上述の図１３に示す従来のＬＥＤバルブ１を用いた照明装置においては、バルブ本体１２の回転位置の調整には口金１１をリフレクタ２から取外すと共に図１５に示す複雑な手間を必要とし、容易でないという課題がある。
【課題を解決するための手段】
【００２１】
上述の課題を解決するために、本発明に係る半導体発光バルブは、口金と、口金に所定角度で固定されるバルブ本体とを具備する半導体発光バルブにおいて、バルブ本体は、半導体発光素子と、半導体発光素子を取付けた半導体発光素子取付部と、半導体発光素子取付部の後方に設けられ、口金を取付けた口金取付部と、口金取付部の後方に設けられ口金を当接するための当接面を有するベースと、口金取付部の口金の前方に固定されたストッパリングと、口金取付部に取付けられた口金とストッパリングとの間に圧縮状態で嵌め込まれたばねとを具備し、ばねはストッパリングと口金とに圧接しているものである。
【００２２】
また、本発明に係る照明装置は、リフレクタと、リフレクタからの反射光を出射するためのレンズとを具備する照明装置において、上述の半導体発光バルブを具備し、半導体発光バルブはリフレクタに形成されたソケットに固定されるものである。
【発明の効果】
【００２３】
本発明によれば、半導体発光バルブのバルブ本体の回転角度の調整をリフレクタから口金を取外すことなく容易にできる。
【図面の簡単な説明】
【００２４】
【図１】本発明に係るリフレクタ型照明装置の第１の実施の形態を示し、（Ａ）は全体断面図、（Ｂ）は（Ａ）のＬＥＤバルブの断面図である。
【図２】図１の口金及びバルブ本体の回転停止機構を説明する図である。
【図３】図１のＬＥＤバルブの組立方法を説明するための斜視図である。
【図４】図１のＬＥＤバルブの口金に対するバルブ本体の回転角度の調整方法を説明するための斜視図である。
【図５】図１のＬＥＤバルブの第１の変更例を示す断面図である。
【図６】図１のＬＥＤバルブの第２の変更例を示し、（Ａ）は全体斜視図、（Ｂ）は一部分解斜視図である。
【図７】図６の第１のＬＥＤ素子距離調整を説明する図であり、（Ａ）は斜視図、（Ｂ）は側面図、（Ｃ）はＬＥＤ素子距離調整リングの斜視図である。
【図８】図６の第２のＬＥＤ素子距離調整を説明する図であり、（Ａ）は斜視図、（Ｂ）は側面図、（Ｃ）はＬＥＤ素子距離調整リングの斜視図である。
【図９】本発明に係るリフレクタ型照明装置の第２の実施の形態を示し、（Ａ）は全体断面図、（Ｂ）は（Ａ）のＬＥＤバルブの断面図である。
【図１０】図９のＬＥＤバルブの組立方法を説明するための斜視図である。
【図１１】図９のＬＥＤバルブの口金に対するバルブ本体の回転角度の調整方法を説明するための斜視図である。
【図１２】図９のＬＥＤバルブの変更例を示す断面図である。
【図１３】従来のリフレクタ型照明装置を示し、（Ａ）は全体断面図、（Ｂ）は（Ａ）のＬＥＤバルブの斜視図である。
【図１４】図１３のＬＥＤバルブの装着を説明するための図である。
【図１５】図１３のＬＥＤバルブの口金に対するバルブ本体の回転角度の調整方法を説明するための斜視図である。
【発明を実施するための形態】
【００２５】
図１は本発明に係るリフレクタ型照明装置の第１の実施の形態を示し、（Ａ）は全体断面図、（Ｂ）は（Ａ）のＬＥＤバルブの断面図である。図１のリフレクタ型照明装置も車両用前照灯装置である。
【００２６】
図１においては、図１３のＬＥＤバルブ１の代りにＬＥＤバルブ１’を設けてあり、ＬＥＤバルブ１’においては、図１３のバルブ本体１２の構成要素に、円筒型圧縮コイルばね１２４及びストッパリング１２５を付加してある。尚、ストッパリング１２５はバルブ本体１２の口金取付部１２２に設けられた溝１２５ａに嵌め込まれる。
【００２７】
ＬＥＤバルブ１’は口金１１及びバルブ本体１２から構成されている。口金１１に形成された貫通孔内にバルブ本体１２が挿通される。バルブ本体１２は、ＬＥＤ素子１２１ｂを搭載したＬＥＤ素子取付部１２１、ＬＥＤ素子取付部１２１の後方に位置して口金が固定される口金取付部１２２、口金取付部１２２の後方に設けられたベース１２３により構成されている。円筒型圧縮コイルばね１２４の内側にバルブ本体１２が挿通されるとともに、円筒型圧縮コイルばね１２４は、口金１１の前方側に口金１１に接して口金取付部１２２に配置される。ストッパリング１２５は、円筒型圧縮コイルばね１２４の前方に該コイルばね１２４に接して配置されている。口金１１の前方側の面は、圧縮型コイルばね１２４の後方側の面に圧接し、口金１１の後方側の面は、バルブ本体１２の当接面１２３aに圧接している。
【００２８】
上述のごとく、円筒型圧縮コイルばね１２４はストッパリング１２５の後方側の当接面と口金１１の前方側の当接面との間に圧縮状態で嵌め込まれる。円筒型圧縮コイルばね１２４が圧縮状態で配置されるので、その反力によりバルブ本体１２は、口金１１に固定される。また、口金１１とバルブ本体１２との回転角度を固定するために、ＬＥＤバルブ１’においては、図２の（Ａ）に示すごとく、口金１１の後端内周に複数の回転停止用凹部１１５を設けると共に、図２の（Ｂ）に示すごとく、バルブ本体１２の口金取付部１２２の後端外周に少なくとも１つの回転停止用凸部１２６を設ける。従って、口金１１とバルブ本体１２とが当接した場合には、図２の（Ｃ）に示すごとく、回転停止用凹部１１５と回転停止用凸部１２６とが噛み合い、口金１１とバルブ本体１２とが固定される。回転角度を調整する場合には、口金１１とバルブ本体１２とが回転停止用凹部１１５及び回転停止用凸部１２６に規定される距離より大きく離間することで、口金１１の後端面とバルブ本体１２の当接面１２３との接触が解除されることにより、回転停止用凹部１１５と回転停止用凸部１２６との噛み合いを解除して口金１１に対してバルブ本体１２は回転可能となる。このように、回転停止用凹部１１５及び回転停止用凸部１２６はバルブ本体１２の回転停止手段を構成する。
【００２９】
図１において、ＬＥＤ素子１２１ｂは、青色発光ＬＥＤチップを蛍光体粒子（黄色発光）含有する樹脂で覆われて、白色発光する、いわゆるＬＥＤパッケージから構成されている。尚、ＬＥＤ素子１２１ｂは、いわゆるＬＥＤチップでもよく、ＬＥＤチップを含むＬＥＤパッケージから構成されてもよく、適宜選択することができる。
【００３０】
図２の（Ａ）、（Ｂ）、（Ｃ）の変更例として、回転停止手段として回転停止用凹部をバルブ本体１２の口金取付部１２２の後端外周に設けると共に回転停止用凸部を口金１１の後端内周に設けてもよい。また、図２の（Ｄ）に示すごとく、回転停止用凹部の側面及び回転停止用凸部の側面をテーパ状とすることもできる。これにより、確実な面接触となり、この結果、熱伝導性がよくなり、がたつきもなく配光のばらつきもなくなる。
【００３１】
図３は図１のＬＥＤバルブ１’の組立方法を説明するための斜視図である。
【００３２】
図３においては、口金１１と、遮光部１２２、ヒートシンク１２３を含むバルブ本体１２はアルミダイカスト製であり、円筒型圧縮コイルばね１２４は炭素鋼（ピアノ線）で形成され、ストッパリング１２５は冷間圧延鋼（ＳＰＣ）によって形成されている。始めに、バルブ本体１２の口金取付部１２２に口金１１を嵌め込む。このとき、口金１１をベース１２３の当接面１２３ａ（図２の（Ｂ）参照）に当接させると共に、口金１１の回転停止用凹部１１５（図２の（Ａ）参照）と口金取付部１２２の回転停止用凸部１２６（図２の（Ｂ）参照）とを噛み合わせる。次いで、円筒型圧縮コイルばね１２４を口金取付部１２２に嵌め込み、口金１１に当接させる。最後に、ストッパリング１２５を口金取付部１２２の溝１２５ａ（図１の（Ａ）参照）に嵌め込む。このとき、円筒型圧縮コイルばね１２４は口金１１とストッパリング１２５との間に圧縮状態となるようにする。
【００３３】
ＬＥＤバルブ１’の口金１１に対するバルブ本体１２の回転角度の調整方法を図４を参照して説明する。
【００３４】
始めに、図４の（Ａ）に示すバルブ本体引出工程にて、ＬＥＤバルブ１’の口金１１の係止突片１１２をリフレクタ２のソケット２ａ及びストッパ付カバー２６の内部に固定した状態でバルブ本体１２を円筒型圧縮コイルばね１２４の圧縮状態に抗して少しだけ後方へ引出す。これにより、口金１１の後端面とバルブ本体１２の当接面１２３ａとの接触が解除される。また、図２の（Ａ）、（Ｂ）に示す口金１１の後端の回転停止用凹部１１５と口金取付部１２２の後端の回転停止用凸部１２６との噛み合わせが解除される。この場合、円筒型圧縮コイルばね１２４はさらに強い圧縮状態となる。
【００３５】
次に、図４の（Ｂ）に示すバルブ本体回転工程にて、バルブ本体１２を口金１１に対して所望量だけ矢印に示すごとく回転させる。
【００３６】
最後に、図４の（Ｃ）に示すバルブ本体押戻工程にて、バルブ本体１２を口金１１に対して押戻す。この場合、単に、バルブ本体１２を手離すだけでバルブ本体１２は円筒型圧縮コイルばね１２４の強い圧縮状態によって押戻される。
【００３７】
このように、口金１１に対するバルブ本体１２の回転角度の調整は口金１１をリフレクタ２のソケット２ａ及びストッパ付カバー２ｂの内部空間に固定したまま行える。つまり、ＬＥＤバルブ１’をリフレクタ２から外さずにリフレクタ２に対するバルブ本体１２の回転角度の調整を行える。
【００３８】
図５は図１のＬＥＤバルブ１’の第１の変更例を示す断面図である。
【００３９】
図５においては、バルブ本体１２の口金取付部１２２の外周はテーパ状となっており、つまり、口金取付部１２２の外径は前方から後方へ向って漸次大きくなっている。これに合せて口金１１の内径も前方から後方へ向って漸次大きくなっている。この結果、バルブ本体１２の口金取付部１２２と口金１１との接触面積が増大するので、バルブ本体１２の口金取付部１２２から口金１１への熱伝導性が向上すると共に、がたつきが減少し、従って、配光のばらつきも小さくできる。
【００４０】
図６は図１のＬＥＤバルブ１’の第２の変更例を示し、（Ａ）は全体断面図、（Ｂ）は一部分解斜視図である。
【００４１】
図６においては、図１のＬＥＤバルブ１’の口金１１とベース１２３との間に、対向したＬＥＤ素子距離調整固定リング１２７及びＬＥＤ素子距離調整移動リング１２８を付加してある。これにより、口金１１の前端面からＬＥＤ素子１２１ｂまでのＬＥＤ素子距離を調整することができる。ＬＥＤ素子距離調整固定リング１２７及びＬＥＤ素子距離調整移動リング１２８の対向面は、円環状に、いずれも少なくとも１つの頂部及び少なくとも１つの底部よりなり、相互に頂部と底部とが密着し得る面形状をなしている。尚、頂部は高さが最も高い位置に形成された面であり、底部は最も低い位置に形成された面である。頂部と底部との間は、高さが階段状に変化する複数の段差が形成されている。つまり、両対向面は、階段状に段差のついた円環面から構成されている。図６においては、両対向面は高さが階段状に変化する互いに同一形状の段差付円環面で構成されている。従って、ＬＥＤ素子距離調整固定リング１２７の頂部１２７−１及び底部１２７−２がＬＥＤ素子距離調整移動リング１２８の頂部１２８−１及び底部１２８−２に対向したとき、図７に示すように、口金１１からのＬＥＤ素子距離（本例では口金１１前端とＬＥＤ素子１２１ｂの中心との距離）は最小たとえば２５ｍｍとなる。他方、ＬＥＤ素子距離調整固定リング１２７の頂部１２７−１及び底部１２７−２がＬＥＤ素子距離調整移動リング１２８の底部１２８−２及び頂部１２８−１に対向したとき、図８に示すように、口金１１からのＬＥＤ素子距離は最大たとえば２８ｍｍとなる。つまり、ＬＥＤ素子距離は２５ｍｍ〜２８ｍｍの範囲で調整できる。この場合、ＬＥＤ素子距離調整固定リング１２７はバルブ本体１２のベース１２３側の口金取付部１２２に一体に形成され、他方、ＬＥＤ素子距離調整移動リング１２８は別体のアルミダイカスト製である。つまり、ＬＥＤ素子距離調整移動リング１２８は、ばねの圧縮により半導体発光素子距離調整固定リングとの接触が解除された場合において、バルブ本体１２の回りを回動可能である。従って、ＬＥＤ素子距離調整移動リング１２８を回転させることにより、対向する段差面の接触係合を順次ずらすことで、ＬＥＤ素子距離を調整できる。
【００４２】
図６の（Ｂ）に示すごとく、回転停止用凸部１２６はＬＥＤ素子距離調整移動リング１２８の口金１１側に設けられている。従って、ＬＥＤ素子距離の調整は図４に示すバルブ本体１２の回転角度の調整の前でも後でも行える。
【００４３】
図９は本発明に係るリフレクタ型照明装置の第２の実施の形態を示し、（Ａ）は全体断面図、（Ｂ）は（Ａ）のＬＥＤバルブの断面図である。図９のリフレクタ型照明装置も車両用前照灯装置である。
【００４４】
図９においては、図１のＬＥＤバルブ１’の代りにＬＥＤバルブ１”を設けてあり、ＬＥＤバルブ１”においては、円筒型圧縮コイルばね１２４は口金１１の後方側の当接面とベース１２３の口金取付部１２２側の当接面１２３ａとの間に圧縮状態で嵌め込まれる。図９においては、口金１１の先端内周に複数の回転停止用凹部（図示せず）を設けると共に、バルブ本体１２の口金取付部１２２の前端外周に少なくとも１つの回転停止用凸部（図示せず）を設ける。従って、口金１１とバルブ本体１２とが当接した場合には、回転停止用凹部１１５と回転停止用凸部とが噛み合い、口金１１とバルブ本体１２とが固定される。他方、口金１１とバルブ本体１２とが回転停止用凹部１１５及び回転停止用凸部に規定される距離より大きく離間すると、回転停止用凹部１１５と回転停止用凸部とが噛み合わず、従って、口金１１に対してバルブ本体１２は回転可能となる。このように、回転停止用凹部１１５及び回転停止用凸部はバルブ本体１２の回転停止手段を構成する。
【００４５】
図９の変更例として、回転停止手段として回転停止用凹部をバルブ本体１２の口金取付部１２２の前端外周に設けると共に回転停止用凸部を口金１１の前端内周に設けてもよい。また、回転停止用凹部の側面及び回転停止用凸部の側面をテーパ状とすることもできる。これにより、確実な面接触となり、この結果、熱伝導性がよくなり、がたつきもなく配光のばらつきもなくなる。
【００４６】
図１０は図９のＬＥＤバルブの組立方法を説明するための斜視図である。
【００４７】
始めに、バルブ本体１２の口金取付部１２２に円筒型圧縮コイルばね１２４を嵌め込む。このとき、円筒型圧縮コイルばね１２４をベース１２３の当接面１２３ａ（図２の（Ｂ）参照）に当接させる。次いで、口金１１を口金取付部１２２に嵌め込み、円筒型圧縮コイルばね１２４に当接させる。このとき、口金１１の回転停止用凹部１１５と口金取付部１２２の回転停止用凸部を噛み合わせる。最後に、ストッパリング１２５を口金取付部１２２の溝１２５ａに嵌め込む。このとき、円筒型圧縮コイルばね１２４は口金１１とベース１２３の当接面１２３ａとの間に圧縮状態となるようにする。
【００４８】
ＬＥＤバルブ１”の口金１１に対するバルブ本体１２の回転角度の調整方法を図１１を参照して説明する。
【００４９】
始めに、図１１の（Ａ）に示すバルブ本体押出工程にて、ＬＥＤバルブ１”の口金１１の係止突片１１２（図１０参照）をリフレクタ２のソケット２ａ及びストッパ付カバー２６の内部に固定した状態でバルブ本体１２を円筒型圧縮コイルばね１２４の圧縮状態に抗して少しだけ前方へ押出す。これにより、口金１１の先端の回転停止用凹部１１５と口金取付部１２２の先端の回転停止用凸部との噛み合わせが解除される。この場合、円筒型圧縮コイルばね１２４はさらに強い圧縮状態となる。
【００５０】
次に、図１１の（Ｂ）に示すバルブ本体回転工程にて、バルブ本体１２を口金１１に対して所望量だけ矢印に示すごとく回転させる。
【００５１】
最後に、図１１の（Ｃ）に示すバルブ本体引戻工程にて、バルブ本体１２を口金１１に対して引戻す。この場合、単に、バルブ本体１２を手離すだけでバルブ本体１２は円筒型圧縮コイルばね１２４の強い圧縮状態によって引戻される。
【００５２】
このように、口金１１に対するバルブ本体１２の回転角度の調整は口金１１をリフレクタ２のソケット２ａ及びストッパ付カバー２ｂの内部に固定したまま行える。つまり、ＬＥＤバルブ１”をリフレクタ２から外さずにリフレクタ２に対するバルブ本体１２の回転角度の調整を行える。
【００５３】
図１２は図１のＬＥＤバルブ１”の変更例を示す断面図である。
【００５４】
図１２においては、バルブ本体１２の口金取付部１２２の外周はテーパ状となっており、つまり、口金取付部１２２の外径は前方から後方へ向って漸次小さくなっている。これに合せて口金１１の内径も前方から後方へ向って漸次小さくなっている。この結果、バルブ本体１２の口金取付部１２２と口金１１との接触面積が増大するので、バルブ本体１２の口金取付部１２２から口金１１への熱伝導性が向上すると共に、がたつきが減少し、従って、配光のばらつきも小さくできる。
【００５５】
尚、上述の実施の形態においては、半導体発光素子としてＬＥＤ素子を用いたが、本発明はレーザダイオード（ＬＤ）素子等の他の半導体発光素子にも適用し得る。
【００５６】
また、本発明は上述の実施の形態の自明の範囲内でのいかなる変更にも適用し得る。
【産業上の利用可能性】
【００５７】
本発明に係る照明装置は、前照灯装置に加えて、たとえばフォグランプ、昼間走行ランプ（ＤＲＬ）等の車両用灯具、及び液晶プロジェクタ等のリフレクタを用いた照明装置に利用できる。
【符号の説明】
【００５８】
１、１’、１”：ＬＥＤバルブ
２： リフレクタ
２ａ：ソケット 
２ｂ：ストッパ付カバー
３：レンズ 
１１：口金 
１１１：防水パッキン
１１２：係止突片
１１３：止めねじ
１１４：ばね当接面
１１５：回転停止用凹部（回転停止手段）
１２：バルブ本体
１２１：ＬＥＤ素子取付部
１２１ａ：遮光部
１２１ｂ：ＬＥＤ素子
１２２：口金取付部
１２２ａ：ねじ孔
１２３：ベース
１２３−１、１２３−２、１２３−３：フィン
１２３ａ：当接面
１２４：円筒型圧縮コイルばね
１２５：ストッパリング
１２５ａ：ばね当接面
１２６：回転停止用凹部（回転停止手段）
１２７：ＬＥＤ素子距離調整固定リング
１２７−１：頂部
１２７−２：底部
１２８：ＬＥＤ素子距離調整移動リング
１２８−１：頂部
１２８−２：底部
【図１】
2019192389.tif 000003
【図２】
2019192389.tif 000004
【図３】
2019192389.tif 000005
【図４】
2019192389.tif 000006
【図５】
2019192389.tif 000007
【図６】
2019192389.tif 000008
【図７】
2019192389.tif 000009
【図８】
2019192389.tif 000010
【図９】
2019192389.tif 000011
【図１０】
2019192389.tif 000012
【図１１】
2019192389.tif 000013
【図１２】
2019192389.tif 000014
【図１３】
2019192389.tif 000015
【図１４】
2019192389.tif 000016
【図１５】
2019192389.tif 000017